(57)【特許請求の範囲】
【請求項１】
土壌（３０）等の植栽基盤とポット苗植物（３１）とが収容可能で、該ポット苗植物（３１）の植物体（３２）の部分を外部に裸出させうる開口部（６）が一面側に形成され、前記植栽基盤及びポット苗植物（３１）を収容するための開口部（２）が、前記ポット苗植物（３１）の植物体（３２）の部分を外部に裸出させうる開口部（６）とは別に形成された容器ユニット本体（１）と、前記植栽基盤及びポット苗植物（３１）を収容するための開口部（２）を開閉自在とする蓋体（３）とが具備された緑化用の容器ユニットであって、前記容器ユニット本体（１）を保持する保持体（３４）に掛止する掛止部が該容器ユニット本体（１）の底面側に凹状に形成され、前記容器ユニット本体（１）内に収容されるポット苗植物（３１）の植物体（３２）の部分に対する風圧を軽減するためのフード部が、前記植物体（３２）の部分を外部に裸出させうる開口部（６）の周囲に形成されていることを特徴とする緑化用の容器ユニット。
【請求項２】
複数の容器ユニットを上下に配置した際に、上側の容器ユニットから下側の容器ユニットに導水することができるように、底面部（１ｅ）と上面部とに、導水孔（１２）、（１３）が穿設されている請求項１記載の緑化用の容器ユニット。
【請求項３】
上面部に形成された導水孔（１３）が、該上面部に形成された凹部（１１）内に形成されている請求項２記載の緑化用の容器ユニット。
【請求項４】
灌水を行うための灌水パイプを挿入させる溝部（２１）が、さらに形成されている請求項１乃至３のいずれかに記載の緑化用の容器ユニット。
【請求項５】
灌水パイプを挿入させる溝部（２１）が、上面部の凹部（１１）及び導水孔（１３）に連通状態とされている請求項４記載の緑化用の容器ユニット。
【請求項６】
容器ユニット本体（１）及び蓋体（３）の全体が合成樹脂で構成されている請求項１乃至５のいずれかに記載の緑化用の容器ユニット。
【発明の詳細な説明】
【技術分野】
【０００１】
本発明は、緑化用の容器ユニット、さらに詳しくは、建築、構築物の壁面等の前面部側に設置することによって、その壁面等の前面部側を緑化する緑化用の容器ユニットに関する。
【背景技術】
【０００２】
近年、都市緑化等の要請が高まり、それに応じて都市部における種々の場所、たとえば、公園、歩道等の場所で人為的に樹木を植設する等によって緑化が行われている。特に建築物、構築物等が立ち並ぶような場所では、自然木等が少ないので、そのような建築物、構築物等の壁面の緑化を行うことが盛んに試みられており、その緑化の工法として種々の方法がある。
【０００３】
このような壁面緑化技術として、本発明に近似するものとして、たとえば下記特許文献１、特許文献２、及び特許文献３のような特許出願がなされている。特許文献１に係る発明は、建造物の被緑化面に沿って数列、数段に土嚢を積み重ね、該土嚢の前面を、所望形状の透かしを全面に有するフェンスにより抑え、建造物側面とフェンス間に土床を構築し、土嚢間には植物の根部を挟持して根付けし、該植物はフェンス外に繁茂せしめる方法である。
【０００４】
しかし、この特許文献１に開示された方法は、土嚢間に植物の根部を直接挟持して施工がされるため、そのように土嚢間で植物の根部を直接挟持させることは、土嚢の重量により植物の根を圧搾するおそれがあるので、植物の生育にとって必ずしも好適なこととはいえない。
【０００５】
一方、特許文献２に係る発明は、少なくともポット苗の植え込みが可能な作業開口を少なくとも前面に形成したパネル枠と、このパネル枠の直ぐ内側に配置されて支持され、前記作業開口の外側からの切開作業が可能で吸水性及び復元性を有した袋状マット材と、この袋状マット材の内側に充填されて、植生植物を生育させるための植生基材またはこれを充填した立体網状マットとにより構成した緑化パネルを開示したものである。
【０００６】
しかしながら、この特許文献２に係る発明は、上述のように、作業開口の外側からの切開作業によって袋状マット材に切り込み（切れ目）等の切開部分を現場等で形成し、その切開部分を開口させつつポット苗等を収納する作業を行うため、そのような切開部分の形成や、切開部分を開口させつつポット苗等を収納する作業が煩雑となり、施工の作業性が決して良好なものとはいえなかった。
【０００７】
そもそも、この特許文献２に係る発明は、それ自体が壁掛け等の装飾物にも使用できるようにすることをも意図するものであり、装飾性等をも意図しているので、壁面緑化に必要な施工の作業性等はさほど考慮されていないものである。
【０００８】
さらに、特許文献３は、押え桟によって仕切られた開放窓を有する押え蓋と、該押え蓋の開口側を支持すると共に前記押え蓋内に充填した培土を受ける受皿とを有し、前記押え蓋内に収容した状態で前記開放窓側に露呈する植栽ポットを備えた植栽ポットトレーを設けた多目的植栽基盤にかかるものである。
【０００９】
この特許文献３の多目的植栽基盤は、当該特許文献の図１０、図１１にも記載されているように、壁面緑化用にも使用できるものであるが、芝生シートとも併用することもでき、多目的に使用できる故に、全体の構造も複雑で、押え蓋、受皿、植栽ポットトレー、その他の構成部材を必要とする等、部品点数も増大するものとなっている。従って，このように構造が複雑で部品点数が多いことで、製造コストも増大することとなる。
【００１０】
【特許文献１】特開平５−２２７８４３号公報
【特許文献２】特開２００４−２５４５５９号公報
【特許文献３】特許３７３８３２１号公報
【発明の開示】
【発明が解決しようとする課題】
【００１１】
本発明は、このような問題点を解決するためになされたもので、上記特許文献１に開示された技術のように、植物の根部を挟持させて圧搾するおそれがなく、設置後においても植物を好適に生育させることができ、また特許文献２に開示された技術のように、苗ポットを収容するための現場での袋状体の切り込み形成による切開作業や、その切り込みを広げることによる苗ポットを挿入する作業等の煩雑な作業を要することがなく、さらに特許文献３のように構造が複雑で、部品点数が増大するようなこともなく、取扱いが簡易で、壁面等の緑化の施工も非常に容易且つ短期間に行うことができ、且つ製造コストも安価である緑化用の容器ユニットを提供することを課題とする。
【課題を解決するための手段】
【００１２】
本発明は、このような課題を解決するために、土壌３０等の植栽基盤とポット苗植物３１とが収容可能で、該ポット苗植物３１の植物体３２の部分を外部に裸出させうる開口部６が一面側に形成され、前記植栽基盤及びポット苗植物３１を収容するための開口部２が、前記ポット苗植物３１の植物体３２の部分を外部に裸出させうる開口部６とは別に形成された容器ユニット本体１と、前記植栽基盤及びポット苗植物３１を収容するための開口部２を開閉自在とする蓋体３とが具備された緑化用の容器ユニットであって、前記容器ユニット本体１を保持する保持体３４に掛止する掛止部が該容器ユニット本体１の底面側に凹状に形成され、前記容器ユニット本体１内に収容されるポット苗植物３１の植物体３２の部分に対する風圧を軽減するためのフード部が、前記植物体３２の部分を外部に裸出させうる開口部６の周囲に形成されていることを特徴とする緑化用の容器ユニットを提供するものである。
【００１４】
また、複数の容器ユニットを上下に配置した際に、上側の容器ユニットから下側の容器ユニットに導水することができるように、底面部１ｅと上面部とに、導水孔１２、１３を穿設することも可能である。上面部に形成される導水孔１３は、該上面部に形成された凹部１１内に形成されることが好ましい。
【００１５】
さらに、灌水を行うための灌水パイプを挿入させる溝部２１を形成することも可能である。この溝部２１は、蓋体３の凹部１１及び導水孔１３に連通状態とされることが好ましい。容器ユニット本体１の全体、若しくは容器ユニット本体１及び蓋体３の全体は、たとえば合成樹脂で構成される。
【発明の効果】
【００２０】
本発明は、上述のように、土壌等の植栽基盤とポット苗植物とが収容可能な容器ユニット本体の一面側に、該容器ユニット本体内に収容されるポット苗植物の植物体の部分を外部に裸出させうる開口部が形成されているものであるため、このような容器ユニットの容器ユニット本体内に土壌等の植栽基盤を収容するとともにポット苗植物を収容し、そのポット苗植物の植物部分を、容器ユニット本体の一面側の開口部から外部に裸出させ、このように植栽基盤とポット苗植物が収容されてその植物部分が外部に裸出された容器ユニットを多数壁面等の前面側に設置することで、全体として非常に簡易な作業で壁面等の緑化を行うことができるという効果がある。
【００２１】
この結果、施工期間も短縮化され、また施工のための用具の製造コストも低廉化でき、簡易に壁面緑化を行ういわゆる早期型壁面緑化の従来のものに比べて、コストを大幅に低減することができるという効果がある。
【００２２】
また、ポット苗植物の植物部分を、容器ユニット本体の一面側の開口部から外部に裸出させうるように構成されているので、その一面側の開口部をある程度の大きさにすることで、根の張った植物を設置することができ、それによって、土壌等の植栽基盤の流出を抑えることができるという効果がある。
【００２３】
さらに、容器ユニットが、上記のような簡易な構成からなるので、容器本体をコンパクトにすることによって、施工のみならず撤去も容易にすることができるという効果がある。また、通常のポット植物をそのまま植え付けることができるので、特別な養生が不要となる効果がある。さらに、ポット植物の生育状態が悪い容器ユニットを部分的に取り替える等の作業も容易に行えるという効果がある。
【００２４】
さらに、複数の容器ユニットを、上下左右に配設して施工することで、植物の色や形状を変える等によって、壁面緑化のデザイン性を高めることができるという効果がある。
【００２５】
また、たとえば上記特許文献２に開示された技術のように、袋状マット材に切り込みを形成する等の作業開口の外側からの切開作業を現場で行う必要もなく、また切り込み等の切開部分を開口させつつポット苗等を収納するような煩雑な作業も不要となり、このような従来の壁面緑化工法に比べて施工性が著しく良好になるという効果がある。
【００２６】
さらに、上記特許文献１の壁面緑化技術のように、土嚢間に植物の根部を直接挟持するような方法ではないので、土嚢の重量により植物の根を圧搾するようなおそれもなく、植物の生育を阻害させるようなおそれもないという効果がある。さらに、特許文献３のように構造が複雑化したり、部品点数が増大するようなこともなく、製造コストの増大を招くこともないという効果がある。
【００２７】
また、ポット苗植物の植物体の部分を外部に裸出させうる開口部とは別に、植栽基盤及びポット苗植物を収容するための開口部を容器本体に形成したので、植栽基盤及びポット苗植物を収容するための作業性がより良好となる。
【００２８】
さらに、植栽基盤及びポット苗植物を収容するための容器本体の開口部を開閉自在とする蓋体を具備させたので、その蓋体によって植栽基盤やポット苗植物が容器本体から不用意に排出されるのが好適に防止される。
【００２９】
また、容器ユニット本体内に収容されるポット苗植物の植物体の部分に対する風圧を軽減するためのフード部を、植物体の部分を外部に裸出させうる開口部の周囲に形成したので、容器ユニット本体内に収容されるポット苗植物の植物体の部分に対する風圧を軽減することができるという効果がある。
【００３０】
さらに、複数の容器ユニットを上下に配置した際に、上側の容器ユニットから下側の容器ユニットに導水することができるように、底面部と上面部とに、導水孔を穿設した場合には、灌水等によって上側の容器ユニットに導入された水が、上側の容器ユニットの底面部の導水孔及び下側の容器ユニットの上面部の導水孔を介して下側の容器ユニットにも導入されることとなり、上下に配設された複数の容器ユニット相互間における水の流通が非常に良好になるという効果がある。
特に、容器ユニットの底面部と上面部とにそれぞれ凹部を形成し、それらの凹部内に上記のような導水孔を形成した場合には、灌水等によって上側の容器ユニットに導入された水が、該上側の容器ユニット内の植栽基盤等を通過し、該上側の容器ユニットの底面部の凹部内に好適に集水され、その凹部内の導水孔から下側に排出されるとともに、下側の容器ユニットの上面部の凹部内に好適に集水され、その凹部内の導水孔から下側の容器ユニット内に好適に導水されることとなる。このように、容器ユニットの底面部と上面部とにそれぞれ凹部を形成し、それらの凹部内に導水孔を形成することによって、その導水孔への集水をより容易に行うことができるのである。
【００３１】
さらに、灌水を行うための灌水パイプを挿入させる溝部を形成した場合には、上記のような緑化ユニットに植栽基盤とポット苗植物を収容して多数壁面等の前面側に設置する場合に、設置された緑化ユニット内の植栽基盤とポット苗植物に対する灌水を好適に且つ容易に行うことができるという効果がある。また、上記のような灌水パイプを挿入させる溝部を、蓋体の凹部及び導水孔に連通状態とした場合には、上述のように、上側の容器ユニットに導入された水が、連通状態となった導水孔を介して下側の容器ユニットに導入され、上下に配設された複数の容器ユニット相互間における水の流通が良好になるという効果を、確実に奏させることができる。
【００３２】
さらに、容器ユニット本体の全体、若しくは容器ユニット本体及び蓋体の全体を合成樹脂で構成した場合には、容器ユニット全体が軽量化され、容器ユニットの取り扱いや作業性、ひいては緑化の施工の作業性がより良好となる。そして、このように全体が軽量となることで、容器ユニットの大きさをコンパクトにすれば、植物や植栽基盤を植え付けた状態でも、片手で取り扱うことができ、その結果、設置作業を非常に容易に行うことができる。
【００３３】
さらに、植栽基盤とポット苗植物とを収容した複数の容器ユニットの容器ユニット本体の掛止部を保持体に掛止させて、該保持体に容器ユニットを保持させる場合には、容器ユニット本体の掛止部を保持体に掛止させることによって、複数の容器ユニットを上下或いは左右に配設する作業を、そのような保持体を利用することで、より容易且つ迅速に行うことができ、ひいては緑化の施工の作業性が一層向上することとなる。
【００３４】
特に、保持体として、フレームを上下左右に配設させた略格子状のものを使用した場合には、複数の容器ユニットの上下左右への配置を、より規則的且つ正確に行うことができる。また、容器ユニット本体の掛止部を保持体に掛止して保持するので、安全で簡易な施工を実現することができる。さらに、掛止部を容器ユニット本体の底面側に凹状に形成した場合には、簡単な構成で掛止部を保持体に掛止する作業をより簡易に行うことができる。
【発明を実施するための最良の形態】
【００３５】
以下、本発明の実施形態について説明する。本発明の緑化用の容器ユニットは、上述のように、土壌等の植栽基盤とポット苗植物とが収容可能な容器ユニット本体の一面側に、該容器ユニット本体内に収容されるポット苗植物の植物体の部分を外部に裸出させうる開口部が形成されたものである。
【００３６】
ポット苗植物の植物体の部分を外部に裸出させうる開口部とは別に、植栽基盤及びポット苗植物を収容するための開口部を容器本体に形成することも可能である。このような植栽基盤及びポット苗植物を収容するための開口部は、植物体の部分を外部に裸出させうる開口部が形成された一面とは別の容器ユニット本体の面に形成されるが、特に容器ユニット本体の上面に形成されることが好ましい。植栽基盤及びポット苗植物を収容するための開口部が容器ユニット本体に形成されることで、植栽基盤及びポット苗植物の容器ユニット本体内への出し入れを容易に行うことができるからである。
【００３７】
この場合、好ましくは、植栽基盤及びポット苗植物を収容するための容器ユニット本体の開口部を開閉自在とする蓋体が、さらに具備される。この蓋体は、たとえばヒンジ部を介して容器本体に連設される。蓋体がヒンジ部を介して容器本体に連設されることで、蓋体の開閉の作業性が良好となる。また、ヒンジ部を介して蓋体を容器本体に開閉自在に取り付けることによって、蓋体と容器本体が一体となった容器を提供することができる。容器ユニット本体には、さらに該容器ユニット本体を保持する保持体に掛止する掛止部が形成される。この掛止部は、たとえば容器ユニット本体の底面側に凹状に形成される。
【００３８】
また、容器ユニット本体内に収容されるポット苗植物の植物体の部分に対する風圧を軽減するためのフード部を、植物体の部分を外部に裸出させうる開口部の周囲に形成することも可能である。このようなフード部は、容器ユニット本体のみに形成することも可能であるが、蓋体が具備される場合には、開口部から裸出される植物体の部分に対する風圧を軽減するために、容器ユニット本体と蓋体との双方にフード部を設けることが望ましい。
【００３９】
さらに、複数の容器ユニットを上下に配置した際に、上側の容器ユニットから下側の容器ユニットに導水することができるように、底面部と上面部とに、導水孔を穿設することも可能である。底面部と上面部には凹部を形成し、その凹部内に上記のような導水孔を形成することが好ましい。たとえば容器ユニット本体の上部に蓋体が形成されている場合には、上記導水孔や凹部は蓋体に形成されることとなる。
【００４０】
さらに、灌水を行うための灌水パイプを挿入させる溝部を形成することも可能である。この溝部は、上面側に形成される導水孔や凹部に連通状態とされることが好ましい。従って、容器ユニット本体の上部に蓋体が形成されている場合には、上記溝部も導水孔や凹部とともに蓋体に形成されることとなる。
【００４１】
容器ユニット本体の全体、若しくは容器ユニット本体及び蓋体の全体は、たとえば合成樹脂で構成される。合成樹脂の種類は、特に限定されるものではないが、ポリエチレン、ポリプロピレン、ポリスチレン、ポリエステルなどの汎用性の合成樹脂を好適に用いることができる。特に、耐候性のポリプロピレンを用いるのが望ましい。
【００４２】
また本発明の緑化工法は、土壌等の植栽基盤とポット苗植物とが収容可能な容器ユニット本体の一面側に、該容器ユニット本体内に収容されるポット苗植物の植物体の部分を外部に裸出させうる開口部が形成されて構成された複数の容器ユニットを準備し、該複数の容器ユニットの容器ユニット本体内に土壌等の植栽基盤とポット苗植物とを収容するとともに、該ポット苗植物の植物体の部分を前記容器ユニット本体の一面側の開口部から外部に裸出させ、該植栽基盤とポット苗植物とを収容した複数の容器ユニットを、少なくとも上下に配設して施工するものである。
【００４３】
複数の容器ユニットは、上下のみならず、左右にも配設することが可能である。また、植栽基盤とポット苗植物とを収容した複数の容器ユニットの容器ユニット本体の掛止部を保持体に掛止して、該保持体に容器ユニットを保持させることが可能である。保持体としては、たとえばフレームを上下左右に配設させた略格子状のものが用いられる。
【００４４】
この保持体としては、たとえば鋼材で構成されたものが用いられ、また合成樹脂や木材等で構成することも可能である。
【００４５】
植栽基盤としては、たとえば土壌が用いられ、その土壌としては、人工土壌と天然土壌のいずれを用いることも可能である。また植栽基盤の素材は、要は植物が生育できるものであれば土壌に限定されるものではなく、たとえば合成樹脂製フォーム、繊維材、マット材等も使用することができる。
【００４６】
以下、本発明のより具体的な実施形態について、図面に従って説明する。
【００４７】
（実施形態１）
本実施形態の緑化用容器ユニットは、図１乃至図４に示すように、上面開口型の容器ユニット本体１と、該容器ユニット本体１の上面開口部２を開閉自在とする蓋体３とで構成されている。容器ユニット本体１と蓋体３とは、ヒンジ部４を介して連設されている。そして、この容器ユニット本体１、蓋体３、及びヒンジ部４は、全体が合成樹脂によって一体成形によって構成されている。容器ユニット本体１、蓋体３、ヒンジ部４を構成する合成樹脂の種類は、特に限定されるものではないが、ポリエチレン、ポリプロピレン、ポリスチレン、ポリエステルなどの汎用性の合成樹脂を好適に用いることができる。特に、耐候性のポリプロピレンを用いるのが望ましい。
【００４８】
容器ユニット本体１は、上述のように上面開口型のものであり、図１乃至図３に示すように、四方の側面部１ａ、１ｂ、１ｃ、１ｄと、底面部１ｅとで構成されている。そして、四方の側面部１ａ、１ｂ、１ｃ、１ｄは、上側から下側に向かってわずかに斜め内向きのテーパ状となるように形成されている。
【００４９】
容器ユニット本体１の内部には、土壌等の植栽基盤と、ポット苗植物とが収容される空間部５が形成されている。植栽基盤としては、たとえば後述する土壌３０が用いられ、このような土壌３０として人工土壌、天然土壌のいずれをも使用することができる。ポット苗植物３１は、後述のように、植物の根を埋設している根鉢３３の部分と、該根鉢３３から立設する植物体３２の部分とで構成され、容器ユニット本体１内では、ポット苗植物３１は横向きに収納される。
【００５０】
そして、横向きに収納されたポット苗植物３１の植物体３２の部分を、容器ユニット本体１の外側に裸出させる開口部６が、該容器ユニット本体１の側面に形成されている。この側面の開口部６は、該容器ユニット本体１の側面部１ａの上縁部から、湾曲した略Ｕ字状となるように切り欠いて形成されたものである。このように、容器ユニット本体１の側面部１ａを略Ｕ字状に切り欠いて形成された開口部６の周縁は、図２に示すように、上部両側の肩部６ｂ、６ｂと、側縁部６ａと、底縁部６ｃとからなる。そして、このように容器ユニット本体１の側面を切り欠いて形成することで、前記上面の開口部２と連通状態とされている。このように側面の開口部６は、容器ユニット本体１の側面を切り欠いて形成されているので、図１乃至図３のように蓋体３を開いた状態では開口部というよりもむしろ切欠部であるが、蓋体３を閉じた状態では、図８及び図９に示すように容器ユニット本体１の側面の上縁部に蓋体３が当接するので、開口部の形態となる。
開口部６の周縁の底縁部６ｃの裏面側は、図３に示すように凹状に形成され、後述するような保持体３４に掛止される掛止部２８として形成されている。この掛止部２８は、開口部６を有する側面部１ａ側に形成されたものであるが、この側面部１ａと対面する側面部１ｃ側にも、図３に示すように保持体３４に掛止される掛止部２９が形成されている。
【００５１】
そして、該側面の開口部６が形成された容器ユニット本体１の側面側には、前記ポット苗植物３１の植物体３２の部分に対して風圧を軽減するためのフード部７が外向きに突出して形成されている。このフード部７は、図１に示すように、両側面部７ａ、７ｂと底面部７ｃとの三方を包囲するように形成されている。また、この容器ユニット本体１のフード部７と同じ方向に、蓋体３にもフード部８が突出して形成されている。そして、蓋体３を閉じた状態においては、図９に示すように、容器ユニット本体１のフード部７の両側面部７ａ、７ｂ及び底面部７ｃと蓋体３のフード部８とで四方が包囲された状態となる。また、この容器ユニット本体１及び蓋体３のフード部７、８には、略長方形状の孔９が、多数穿設されている。この孔９は、図１に示すように、２列に整列して等間隔に形成されている。
【００５２】
また、容器ユニット本体１の底面部１ｅのほぼ中央には、凹部１０が形成されている。この凹部１０は、図３に示すように、上面側がわずかに凹状となるように形成されており、従って、下面側は、同図のように、わずかに突状となるように形成されている。また、この容器ユニット本体１の凹部１０を嵌入することのできる凹部１１が、図４のように蓋体３の略中央に形成されている。
【００５３】
この蓋体３の凹部１１は、容器ユニット本体１の凹部１０よりも大きい径を有して形成されている。このように蓋体３の凹部１１が容器ユニット本体１の凹部１０よりも大径に形成されている結果、後述の図１５のように複数の容器ユニットを積み重ねた際に、相互に上下に隣接する２個の容器ユニットのうち、上側の容器ユニットにおける容器ユニット本体１の底部の凹部１０が、下側の容器ユニットの蓋体３の凹部１１に嵌入された状態となる。
【００５４】
さらに、前記容器ユニット本体１の凹部１０と、蓋体３の凹部１１とには、図１に示すように、細長い長方形状の複数の導水孔１２、１３がそれぞれ穿設されている。この容器ユニット本体１の凹部１０における導水孔１２と、蓋体３の凹部１１における導水孔１３とは、図１５に示すように複数の容器ユニットを積み重ねた際に、上下に隣接する上側の容器ユニットにおける容器ユニット本体１の凹部１０の導水孔１２と、下側の容器ユニットにける蓋体３の凹部１１の導水孔１３とが、少し離間しながらもほぼ連通状態となるように、それぞれの凹部１０、１１の所定位置に形成されている。
【００５５】
さらに、蓋体３の裏面側の所定位置には、図２及び図４に示すように突出部１４が形成されている。この突出部１４は、蓋体３を閉じたときに、容器ユニット本体１の側面開口部６を形成する周縁部６ａのうち、後述の図８及び図９のように、比較的上側の周縁部６ｂに接触するように形成されている。突出部１４の底部には、図４に示すように、水抜用の孔２３が穿設されている。
【００５６】
また、容器ユニット本体１の上端部周縁には、図１に示すように、フランジ１５がわずかに外向きに突出形成されている。このフランジ１５には、略等間隔に複数の孔１６が穿設されており、この孔１６に挿入可能な突起１７が、蓋体３の裏面側に略等間隔に形成されている。
【００５７】
さらに、側面の開口部６が形成された容器ユニット本体１の側面部１ａと対面する側面部１ｃには、図２に示すように、複数の長孔１８が穿設されている。この長孔１８は、同図のように上下２列に整列して配設されている。
【００５８】
さらに、前記側面の開口部６が形成された側面部１ａ及び長孔１８が穿設された側面部１ｃと隣接する長手方向の側面部１ｂ、１ｄの外側には、図２に示すようにそれぞれ縦方向にリブ１９が形成されている。
【００５９】
さらに、蓋体３には、図４に示すように、灌水パイプを挿入するための溝部２１が形成されている。この溝部２１は、前記図１及び図４に示すように、蓋体の凹部１１と連通状態となるように、ひいては導水孔１３とも連通状態となるように形成されている。
【００６０】
また、容器ユニット本体１のフード部７の下部先端縁には、図３に示すように下向きに突片２７が形成されている。一方、蓋体３の比較的側部には、図１及び図４に示すように凹部２２が形成されており、複数の容器ユニットを上下に積み重ねた際に、図１５のように上側の容器ユニットの容器ユニット本体１の突片２７が、下側の容器ユニットの蓋体３の凹部２２に挿入されるように、突片２７と凹部２２がそれぞれ形成されている。この凹部２２の底部には、水抜用の孔２４が穿設されている。さらに、蓋体３の四方周囲には、立下り片２５が下向きに突設されている。
【００６１】
次に、上記のような構成からなる緑化用の容器ユニットを用いて、本発明の緑化工法の一実施形態である壁面緑化を行う工法について説明する。先ず、図１及び図２に示すように、蓋体３を開いて上面の開口部２を開口させた状態で、図５に示すように、植栽基盤としての土壌３０を容器ユニット本体１の空間部５内に収容する。土壌３０
として人工土壌と天然土壌のいずれを用いてもよいことは、上述のとおりである。この場合、容器ユニット本体１の側面の開口部６の周縁部６ａにおける下縁部６ｃの位置まで土壌３０を収容する。これは、側面の開口部６からポット苗植物３１の植物体３２の部分を裸出させる必要があり、その際に、植物体３２の位置が側面の開口部６の位置に合致するように、ポット苗植物３１を容器ユニット本体１内に設置する高さを調整するためである。
【００６２】
次に、ポット苗植物３１を容器ユニット本体１の空間部５内に収容し、図６に示すように前記土壌３０の上に載置する。このとき、同図のようにポット苗植物３１の植物体３２の部分を側面の開口部６から裸出させる。従って、土壌３０の上に載置されるのは、ポット苗植物３１の根鉢３３の部分である。
【００６３】
次に、図７に示すように、さらに土壌３０を容器ユニット本体１の空間部５内に収容し、すでに収容されている土壌３０上に載置されていたポット苗植物３１の根鉢３３の部分を埋設する。
【００６４】
その後、図８及び図９に示すように、蓋体３を閉じる。この場合、ヒンジ部４を介して蓋体３を回動させ、蓋体３の突起１７を容器ユニット本体１のフランジ１５の孔１６に挿入することで、蓋体３を閉じた状態が確実に維持されることとなる。
【００６５】
このようにして容器ユニット本体１内に土壌３０及びポット苗植物３１が収容された容器ユニット２０を多数準備し、既設壁面の前面側に縦横に配置する。この場合、図１０及び図１１に示すような格子状の保持体３４を準備し、その保持体３４を利用して容器ユニット２０を壁面の前面側に縦横に配置する。この保持体３４は、図１０及び図１１に示すように、それ自体が蔓性植物３５の登攀にも利用できるものであり、図１２に示すように、縦フレーム３６及び横フレーム３７を交差して形成した前面部３８と後面部３９とで構成されたものである。前面部３８と後面部３９とには、所定間隔ごとに架設フレーム４０が架設されている。これら縦フレーム３６、横フレーム３７、架設フレーム４０は、本実施形態では鋼材で構成されているが、合成樹脂や木材等で構成することも可能である。
【００６６】
そして、図１３及び図１４に示すように、保持体３４の縦フレーム３６及び横フレーム３７間に形成される各枡目ごとに容器ユニット２０が配置されるように、多数の容器ユニット２０を保持体３４に設置する。この場合、図１５に示すように、前面部３８と後面部３９の横フレーム３７の部分に、容器ユニット本体１の凹状の掛止部２８、２９を掛止することで、容器ユニット２０を保持体３４に設置することができる。
【００６７】
このようにして多数の容器ユニット２０の掛止部２８、２９を、図１５のように保持体３４の横フレーム３７に掛止した状態で、図１３及び図１４のように該保持体３４の各枡目に対応して、その枡目の少し下側に１個ずつ配置されるとともに、上下方向には、相互に上下に隣接する容器ユニット２０が積み重ねられる。このように複数の容器ユニットを上下に積み重ねた状態で、相互に上下に隣接する上側の容器ユニット２０の底面部１ｅと下側の容器ユニット２０の蓋体３とが図１５に示すように面接触状態となり、安定した状態で容器ユニット２０が上下に積み重ねられることとなる。
【００６８】
また、この場合において、容器ユニット本体１の底面部１ｅのほぼ中央に凹部１０が形成され、該凹部１０の下向きの突状部分が嵌入される凹状部分を上面に有する凹部１１が蓋体３の略中央に形成されているので、上記のように上側の容器ユニット２０の底面部１ｅと下側の容器ユニット２０の蓋体３とが面接触状態となったとき、図１５に示すように、該底面部１ｅの凹部１０が蓋体３の凹部１１内に嵌入された状態となり、その結果、上下に積み重ねられる容器ユニット２０の積み重ね状態が一層安定することとなり、ガタつき等も防止されることとなる。
【００６９】
さらに、容器ユニット本体１の底面部１ｅの凹部１０と、蓋体３の凹部１１とには、細長い長方形状の複数の導水孔１２、１３がそれぞれ穿設されており、複数の容器ユニット２０を積み重ねた際に、容器ユニット本体１の凹部１０における導水孔１２と、蓋体３の凹部１１における導水孔１３とが、少し離間しながらもほぼ連通状態となるため、灌水を行って、上側の容器ユニット２０の容器ユニット本体１内に水が導入されたとき、その水は容器ユニット本体１内に収容されている土壌３０や、ポット苗植物３１の根鉢３３の部分に浸透するとともに、該上側の容器ユニット２０の底面部１ｅの凹部１０内に好適に集水され、その凹部１０内の導水孔１２から下側に排出され、下側の容器ユニット２０の蓋体３の凹部１１内に好適に集水されることとなる。そして、蓋体３の凹部１１内に集水された水は、その凹部１１内の導水孔１３から下側の容器ユニット２０内に好適に導水されることとなる。
このように、上記のような導水孔１２、１３の部分を介して、上側の容器ユニット２０に導入された水が、順次下側の容器ユニット２０に導入されることとなり、灌水された水は、上下に積み重ねされて配置された多数の容器ユニット２０内に収容された土壌３０等にまんべんなくいきわたることとなり、壁面の前面側に配置される多数の容器ユニット２０の全体における透水性が維持されることとなる。
また、灌水を行うための灌水パイプを挿入させる溝部２１が蓋体３に形成されているので、植栽基盤とポット苗植物に対する灌水を好適に且つ容易に行うことができるとともに、溝部２１が蓋体３の凹部１１及び導水孔１３に連通状態となっているので、上述のように、上側の容器ユニットに導入された水が、連通状態となった導水孔１２、１３を介して下側の容器ユニットに導入され、積み重ねられた複数の容器ユニット相互間における水の流通が良好になるという効果を、確実に奏させることができる。
【００７０】
さらに、容器ユニット本体１の後方の側面部１ｃには長孔１８が穿設されているので、透水性のみならず、容器ユニット本体１内の通気性も維持されることとなる。
【００７１】
さらに、開口部６が形成された容器ユニット本体１の側面側には、両側面部７ａ、７ｂと底面部７ｃとの三方を包囲するように形成されたフード部７が外向きに突設され、且つ該容器ユニット本体１のフード部７と同じ方向に、蓋体３にもフード部８が突設されているため、蓋体３を閉じた状態においては、図８及び図９に示すように、容器ユニット本体１のフード部７の両側面部７ａ、７ｂ及び底面部７ｃと蓋体３のフード部８とで四方が包囲された状態となるので、このように四方が包囲されたフード部７、８によって、容器ユニット本体１の空間部５内に収容されているポット苗植物３１の、側面の開口部６から前面側に突出した植物体３２の部分に対する風圧が好適に軽減されることとなる。
【００７２】
しかも、容器ユニット本体１及び蓋体３のフード部７、８には、略長方形状の孔９が多数穿設されているので、上記のようにフード部７、８によって植物体３２の部分
に対する風圧が軽減される一方で、透水性が不良となることもない。
【００７３】
このように、本実施形態においては、多数の容器ユニット２０を、保持体３４に掛止しつつ、容器ユニット本体１の底面部１ｅと蓋体３との面接触状態で上下に積み重ねることで、容易に設置することができ、ポット苗植物３１を利用した壁面緑化を、簡易な施工法で行うことが可能となる。
【００７４】
また、個々の容器ユニット本体１へのポット苗植物３１の収容作業も、上述のように上面の開口部２から土壌３０を先ず容器ユニット本体１の空間部５内の所定位置の高さまで収容し、次にその土壌３０上にポット苗植物３１を載置するとともに、側面の開口部６から該ポット苗植物３１の植物体３２の部分を外側に裸出させ、その後にポット苗植物３１の根鉢３３の部分を覆うように土壌３０を再度収容して、空間部５内をほぼ満杯の状態とすることで、土壌３０やポット苗植物３１の収容作業自体も簡易に行うことができる。従って、その分、施工性も良好となる。
【００７５】
このように、多数の容器ユニット２０が設置された壁面の前面側においては、該容器ユニット２０に収容されたポット苗植物３１による壁面緑化が行われるのであるが、その一方で、多数の容器ユニット２０を掛止して保持させている保持体３４は、上述のように鋼材からなる縦フレーム３６及び横フレーム３７を縦横に交差、配置して構成されたものであり、蔓性植物３５の登攀にも利用できるものであるため、蔓性植物３５を保持体３４の前面部３８に沿って登攀させることで、ポット苗植物３１と蔓性植物３５との双方による壁面緑化を行うことも可能となる。
【００７６】
このように蔓性植物３５を用いての緑化を、上記のようなポット苗植物３１による緑化と併用する場合、その蔓性植物３５は、上記のように保持体３４を登攀させつつ施工することができる他、保持体３４の上部側から垂れ下がるようにして施工することも可能である。
【００７７】
（実施形態２）
本実施形態においては、上記実施形態１と同じ構成の容器ユニット２０を用いているが、多数の容器ユニット２０を保持体３４に掛止させた状態で、相互に上下に隣接する容器ユニット２０が、上記実施形態１のように積み重ねられることがなく、図１６に示すように、相互に上下に隣接する上側の容器ユニット２０の底面部１ｅと下側の容器ユニット２０の蓋体３とは、図１６に示すように、わずかな隙間を隔てて離間した状態とされている。この点で、相互に上下に隣接する上側の容器ユニット２０の底面部１ｅと下側の容器ユニット２０の蓋体３とが面接触状態とされていた上記実施形態１の場合と相違する。
【００７８】
このように、わずかな隙間を隔てて上側の容器ユニット２０の底面部１ｅと下側の容器ユニット２０の蓋体３とが離間した状態とされていても、個々の容器ユニット２０の掛止部２８、２９は、図１６に示すように、保持体３４の横フレーム３７に掛止されて該保持体３４に確実に保持されているので、各容器ユニット２０が保持体３４から離脱するようなこともない。
【００７９】
従って、本実施形態においても、各容器ユニット２０は、保持体３４の各枡目に対応して１個ずつ配置されることとなる。すなわち、保持体３４の枡目の寸法の設定によって、容器ユニット２０の掛止部２８、２９を保持体３４の横フレーム３７に掛止させたときに、本実施形態のように、上側の容器ユニット２０の底面部１ｅと下側の容器ユニット２０の蓋体３とが離間した状態となることがあれば、上記実施形態１のように上側の容器ユニット２０の底面部１ｅと下側の容器ユニット２０の蓋体３とが面接触状態となり、上下の容器ユニット２０が積み重ねられた状態となることもある。
【００８０】
いずれにしても、個々の容器ユニット２０の掛止部２８、２９が保持体３４の横フレーム３７に掛止されて該保持体３４に確実に保持された状態となるので、上側の容器ユニット２０の底面部１ｅと下側の容器ユニット２０の蓋体３とが面接触状態となり、上下の容器ユニット２０が積み重ねられた状態となっているか否かは、個々の容器ユニット２０が安定した状態で縦横に多数配置されることとは直接的に関連はない。
【００８１】
また、本実施形態では、上述のように上側の容器ユニット２０の底面部１ｅと下側の容器ユニット２０の蓋体３とが面接触状態とならず、わずかな隙間を隔てて離間した状態とされているので、上記実施形態１に比べると、容器ユニット本体１の底面部１ｅと蓋体３とに穿設された導水孔１２、１３は離間した状態となる。
【００８２】
しかしながら、本実施形態においても、容器ユニット本体１の底面部１ｅの導水孔１２と蓋体３の導水孔１３とは、それぞれ凹部１０、１１内に形成されているので、上側の容器ユニット２０の底面部１ｅと下側の容器ユニット２０の蓋体３とがわずかな隙間を隔てて離間していたとしても、上側の容器ユニット２０の底面部１ｅに穿設された導水孔１２から排出される水は、下側の容器ユニット２０の蓋体３に形成された凹部１１に容易に集水されることとなる。
【００８３】
従って、凹部１１内に集水された水は、その凹部１１に穿設された導水孔１３から下側の容器ユニット２０の容器ユニット本体１内に容易に導入することとなる。この結果、本実施形態においても、上記実施形態１と同様に、灌水を行って、容器ユニット本体１内に水が導入されたとき、その水は容器ユニット本体１内に収容されている土壌３０や、ポット苗植物３１の根鉢３３の部分に浸透するとともに、上側の容器ユニット２０に導入された水は、導水孔１２、１３の部分を介して、順次下側の容器ユニット２０に導入されることとなり、灌水された水は、上下に配置された多数の容器ユニット２０内に収容された土壌３０等にまんべんなくいきわたることとなる。
【００８４】
さらに、本実施形態においても、灌水を行うための灌水パイプを挿入させる溝部２１が蓋体３に形成されているので、植栽基盤とポット苗植物に対する灌水を好適に且つ容易に行うことができるとともに、溝部２１が蓋体３の凹部１１及び導水孔１３に連通状態となっているので、上述のように、上側の容器ユニットに導入された水が、導水孔１２、１３を介して下側の容器ユニットに導入され、上下に配置された複数の容器ユニット相互間における水の流通が良好になるという効果を、確実に奏させることができる。
【００８５】
本実施形態の容器ユニット２０の構成自体は上述のように実施形態１と同じであり、また、その他の作用は上記実施形態１と共通するため、その詳細な説明は省略する。
【００８６】
（実施形態３）
本実施形態は、容器ユニット２０の配置態様の他の実施形態である。本実施形態においては、図１２乃至図１４に示す保持体３４の縦フレーム３６及び横フレーム３７間に形成される各枡目のすべてに容器ユニット２０が配置されるわけではなく、図１７に示すように、一部の枡目には容器ユニット２０が配置されず、枡目の空間部４１を維持した状態とされている。
【００８７】
本実施形態では、縦横に多数の枡目を有する保持体３４の全体において、図１７のように、左右２列ずつの枡目に空間部４１が形成され、その空間部４１が、保持体３４の正面視における左上側から右下側にかけて斜めに配置されるように構成されている。そして、このように斜めに配置された空間部４１以外の各枡目の部分には、容器ユニット２０が配置されている。この点で、すべての枡目の部分に容器ユニット２０が配置されていた上記実施形態１の場合と相違する。
【００８８】
本実施形態においては、すべての枡目の部分に容器ユニット２０を配置するのではなく、一部の枡目に空間部４１を形成しているので、容器ユニット２０が配置された枡目の部分においては、時間の経過とともに植物が生育して、その生育した植物によって保持体３４の前面側が装飾された状態となるが、空間部４１が形成された枡目においては、生育した植物が前面側に現出されておらず、このように保持体３４の前面側の所定位置に空間部が配置されたことで、全体として独自の装飾性が得られることとなる。
【００８９】
尚、本実施形態では、上記のように、左右２列ずつの枡目に空間部４１が形成され、その空間部４１が、保持体３４の正面視における左上側から右下側にかけて斜めに配置されるように構成されていたが、空間部４１が形成される位置は本実施形態に限定されるものではなく、任意に変更可能である。このように空間部４１の位置を任意に変更することで、デザインの自由度が高い壁面緑化を実現することが可能となる。
【００９０】
容器ユニット２０の構成などは、上記実施形態１と同じであるため、その説明は省略する。
【００９１】
（実施形態４）
本実施形態は、容器ユニット２０の配置態様の他の実施形態である。本実施形態においても、各枡目のすべてに容器ユニット２０が配置されておらず、容器ユニット２０を設置した枡目と、設置されていない枡目とが交互に配置されている。そして、容器ユニット２０が設置されていない枡目には、図１８に示すように、パネル４２が嵌め込まれている。
【００９２】
このようなパネル４２が嵌め込まれている点で、単に空間部４１とされていた実施形態３と相違し、また各枡目のすべてに容器ユニット２０が配置されている実施形態１とも相違している。
【００９３】
本実施形態においては、容器ユニット２０を設置した枡目と、パネル４２を嵌め込んだ枡目とを交互に配置したので、容器ユニット２０が設置された枡目の部分においては、時間の経過ともに植物が生育して、その生育した植物によって保持体３４の前面側が装飾された状態となるが、パネル４２が嵌め込まれた部分においては、そのパネル４２による装飾性が現出され、植物体とパネル４２とによって、独自の装飾性を現出することができる。
【００９４】
容器ユニット２０の構成などは、上記実施形態１と同じであるため、その説明は省略する。
【００９５】
（実施形態５）
本実施形態は、保持体３４の構成の他の実施形態であり、図１９は本実施形態の保持体３４を示す平面図である。本実施形態では、図１２に示すような縦フレーム３６及び横フレーム３７を交差させて前面部３８と後面部３９とで構成された枡目を有する格子状のフレームを、図１９に示すように正面４３側のみならず、両側面４４、４４側及び背面４５側にも設けて、四方から容器ユニット２０内の植物を鑑賞することができるように保持体３４が構成されている。
【００９６】
このように枡目を有する格子状のフレームが四方に設けられ、四方から容器ユニット２０内の植物を鑑賞できるように保持体３４が構成されている点で、一方向のみから容器ユニット２０内の植物を鑑賞することができるように保持体３４が構成されている上記実施形態１乃至４の場合と相違する。
【００９７】
上記実施形態１乃至４の保持体３４は、壁面緑化用として使用されるものであるため、壁面の前面側に保持体３４が設置されて、その保持体３４の枡目内に設置される容器ユニット２０内の植物が前面側からのみ鑑賞できれば十分であるのに対し、本実施形態の保持体３４は、植物部分を裸出させる開口部３が、それぞれ四方のフレームにおいて外側に向くように、各フレームに容器ユニット２０を設置されることとなるので、室内緑化用として使用することができる。
【００９８】
容器ユニット２０の構成などは、上記実施形態１と同じであるため、その説明は省略する。
【００９９】
（その他の実施形態）
尚、上記実施形態では、容器ユニット本体１が、四方に側面部１ａ、１ｂ、１ｃ、１ｄを有する有底四角筒状に形成されていたが、容器ユニット本体１の形状は該実施形態に限定されるものではなく、たとえば有底円筒状に形成されたようなものであってもよく、また、他の形態のものであってもよい。要は、土壌３０等の植栽基盤とポット苗植物３１とが収容可能な容器ユニット本体１の一面側に、そのポット苗植物３１の植物体３２の部分を裸出させる開口部６が形成された形態のものであればよい。ただし、側面の開口部６の形成し易さ、縦横に配置する場合の作業性等の観点からは、上記実施形態のように有底四角筒状に形成されることが好ましい。
【０１００】
また、上記実施形態では、四方の側面部１ａ、１ｂ、１ｃ、１ｄが上側から下側に向かってわずかに斜め内向きのテーパ状となるように形成されていたが、このように四方の側面部を斜め内向きのテーパ状となるように形成することは本発明に必須の条件ではない。
【０１０２】
さらに、上記実施形態では、上面の開口部２を蓋体３で閉じた状態で複数の容器ユニットを積み重ねた際に、相互に上下に隣接する上側の容器ユニットにおける容器ユニット本体１の底面部１ｅと、下側の容器ユニットの蓋体３とに、それぞれ凹部１０、１１を形成したため、底面部１ｅの凹部１０が蓋体３の凹部１１内に嵌入された状態となって、上下に積み重ねられた容器ユニットにガタつきが生じないという好ましい効果が得られたが、このような凹部１０、１１を形成することも本発明に必須の条件ではない。
【０１０３】
さらに、上記実施形態では、複数の容器ユニットを上下に配置した際に、相互に上下に隣接する上側の容器ユニットにおける容器ユニット本体１の底面部と、下側の容器ユニットの蓋体３とに、導水孔１２、１３を穿設したため、灌水等によって上側の容器ユニットに導入された水が、導水孔を介して下側の容器ユニットにも導入され、上下に配置された複数の容器ユニット全体の水の流通が非常に良好になるという好ましい効果が得られたが、このような導水孔１２、１３を穿設することも本発明に必須の条件ではない。
【０１０４】
さらに、容器ユニット本体１の材質も上記実施形態のポリプロピレン、ポリエチレン、ポリスチレン等の汎用性の合成樹脂に限らず、また合成樹脂以外の素材のものを用いることも可能である。
【０１０５】
さらに、上記実施形態１では、格子状に形成された保持体３４のすべての枡目ごとに容器ユニット２０を設置したが、保持体３４のすべての枡目ごとに容器ユニット２０を設置する必要は必ずしもなく、上記実施形態３のように、容器ユニット２０を設置せずに空間部４１とすることも可能であり、また実施形態４のようにパネル４２を嵌め込むことも可能である。
【０１０６】
また、上記実施形態では、このような格子状に形成された保持体３４を用いて多数の容器ユニット２０を縦横に配置したが、このような保持体３４を用いることも本発明に必須の条件ではない。
【０１０７】
尚、本発明の緑化用の容器ユニットは、上述のように壁面の前面側の縦横に多数設置して壁面緑化用として使用することを主眼とするものではあるが、その用途は壁面緑化用に限定されるものではなく、上記実施形態５のような室内緑化用等、他の緑化用の用途に使用することも可能である。
【図面の簡単な説明】
【０１０８】
【図１】一実施形態の緑化用の容器ユニットの開口状態を示す概略平面図。
【図２】図１のＡ−Ａ線半裁断面図。
【図３】図１のＢ−Ｂ線断面図。
【図４】図１のＣ−Ｃ線断面図。
【図５】容器ユニット本体の空間部内に所定の高さまで土壌を収容した状態を示す断面図。
【図６】容器ユニット本体の空間部内にポット苗植物を収容した状態の断面図。
【図７】ポット苗植物を収容後に、容器ユニット本体の空間部内に土壌を再度収容した状態の断面図。
【図８】蓋体を閉じた状態の断面図。
【図９】蓋体を閉じた状態の半裁断面図。
【図１０】多数の容器ユニットを保持する保持体の概略正面図。
【図１１】同保持体の概略側面図。
【図１２】同保持体の要部拡大斜視図。
【図１３】多数の容器ユニットを保持体に保持させた状態の概略正面図。
【図１４】多数の容器ユニットを保持体に保持させた状態の概略側面図。
【図１５】容器ユニットを積み重ねた状態の概略断面図。
【図１６】他実施形態の容器ユニットの配置状態を示す概略断面図。
【図１７】他実施形態の保持体の配置態様を示す概略正面図。
【図１８】他実施形態の保持体の配置態様を示す概略正面図。
【図１９】他実施形態の保持体の配置態様を示す概略平面図。
【符号の説明】
【０１０９】
１  容器ユニット本体
２  開口部
３  蓋体
５  空間部
６  開口部
７  フード部
８  フード部
１２  導水孔
１３  導水孔
２０  容器ユニット
２１  溝部
２８  掛止部
２９  掛止部
３１  ポット苗植物
３２  植物体
【図１】
0005368041.tif 000002
【図２】
0005368041.tif 000003
【図３】
0005368041.tif 000004
【図４】
0005368041.tif 000005
【図５】
0005368041.tif 000006
【図６】
0005368041.tif 000007
【図７】
0005368041.tif 000008
【図８】
0005368041.tif 000009
【図９】
0005368041.tif 000010
【図１０】
0005368041.tif 000011
【図１１】
0005368041.tif 000012
【図１２】
0005368041.tif 000013
【図１３】
0005368041.tif 000014
【図１４】
0005368041.tif 000015
【図１５】
0005368041.tif 000016
【図１６】
0005368041.tif 000017
【図１７】
0005368041.tif 000018
【図１８】
0005368041.tif 000019
【図１９】
0005368041.tif 000020